(57)【特許請求の範囲】
【請求項１】
前後身頃の胴回り側部を互いに接合する締結手段を、内面及び外面を有し、前記内面に第１粘着面及び先端に非粘着摘持部を設けた締結テープと、内面及び外面を有し、前記内面に前記胴回り側部の内面シートと接合する第２粘着面を設けて、前記第１粘着面を前記外面に重ね合わせて仮着する離型テープとから構成し、前記締結手段を前記胴回り側部に接合する使い捨てオムツにおける締結手段の取り付け方法において、
前記締結テープの先端を前記第１粘着面へ折り返して先端と基端とを有する前記非粘着摘持部を形成し、前記非粘着摘持部の一部が前記第２粘着面と前記離型テープとを合わせた厚み以上に前記離型テープの先端から突出するとともに前記雛型テープの先端が前記非粘着摘持部の前記先端と前記基端との間に位置するように前記締結テープの前記第１粘着面と前記離型テープの前記外面とを重ね合わせ仮着して前記締結手段を構成して前記オムツの製造ラインに導入し、前記第２粘着面を前記胴回り側部の前記内面シートに重ね合わせた状態で、前記締結手段を前記締結テープの前記外面側からプレス面が平滑であるプレス手段でプレスすることによって前記胴回り側部の前記内面シートに接合することを特徴とする前記取り付け方法。
【請求項２】
前記締結テープは、その第１粘着面と前記離型テープの離型面との接合強度を１５０ｇ以下になしてある請求項１に記載の取り付け方法。
【発明の詳細な説明】
【０００１】
【産業上の利用分野】
この発明は、使い捨てオムツにおける締結手段の取り付け方法に関し、更に詳しくは、そのオムツの前後身頃の胴回りを互いに剥離可能に接合するための締結手段の取り付け方法に関する。
【０００２】
【従来の技術】
図３に示すように、一般に、この締結手段は、内面に粘着面１及び先端に非粘着摘持部２を設けた締結テープ（ファスニングテープ）３と、粘着面１を重ね合せて仮着する離型テープ（リリーステープ）４とから構成し、オムツの後身頃の胴回り側部５に取り付けてある。締結テープ３は、離型テープ４に重ね合せた状態で、非粘着摘持部２が胴回り側部５の上面に粘着面６で固定した離型テープ４の先端７から引っ込むように、換言すると離型テープ４の先端７が非粘着摘持部２の先端から突出するように形成してある。これは、非粘着摘持部２を摘持して締結テープ３を離型テープ４から剥離し易くするためである。
【０００３】
【発明が解決しようとする課題】
しかし、締結テープ３の粘着面１を離型テープ４の離型面に重ね合せてなる組み合せテープを、オムツの製造ラインにおいて、オムツの当該部に締結テープ３の上面からプレス面が平滑なプレス部材でプレスしてオムツの胴回り側部５に取り付ける場合、離型テープ４の先端７が締結テープ３の非粘着摘持部２から突出していると、先端７と非粘着摘持部２との間に段差が生ずるから、先端７にはプレスが充分に加わらず、その結果、先端７が粘着面６で胴回り側部５に充分に接合しないことが少なくない。この問題を解決する一つの手段としては、前記プレス面を前記段差に適合するように形成した前記プレス部材を使用することが考えられる。しかし、そうしたプレス部材を使用したとしても、前記組み合せテープが可撓性を有すること、オムツの廉価量産のためそのテープを含むオムツの構成部材をオムツの製造ラインでは高速操作する必要があることなどの理由から、前記プレス面の当該部位と前記段差面との間に位置ずれが起こり易く、所期の目的を達成できるとはいえない。
【０００４】
前述のように、離型テープ４の先端７が充分に接合していないと、オムツの動きや、先端７と着用者の肌との摺接などにより、先端７が浮き上がったりめくれたりすることがある。その結果、肌が先端で擦られてかぶれたり傷ついたりする。こうしたことは、着用者が新生児である場合、看過することのできない重大な問題である。
【０００５】
この発明の課題は、従来の締結手段における、締結テープの非粘着摘持部と離型テープの先端との相対的位置を変えることにより、前記問題を除去することにある。
【０００６】
【課題を解決するための手段】
この発明は、前後身頃の胴回り側部を互いに接合する締結手段を、内面及び外面を有し、前記内面に第１粘着面及び先端に非粘着摘持部を設けた締結テープと、内面及び外面を有し、前記内面に前記胴回り側部の内面シートと接合する第２粘着面を設けて、前記第１粘着面を前記外面に重ね合わせて仮着する離型テープとから構成し、前記締結手段を前記胴回り側部に接合する使い捨てオムツにおける締結手段の取り付け方法において、前記締結テープの先端を前記第１粘着面へ折り返して先端と基端とを有する前記非粘着摘持部を形成し、前記非粘着摘持部の一部が前記第２粘着面と前記離型テープとを合わせた厚み以上に前記離型テープの先端から突出するとともに前記雛型テープの先端が前記非粘着摘持部の前記先端と前記基端との間に位置するように前記締結テープの前記第１粘着面と前記離型テープの前記外面とを重ね合わせ仮着して前記締結手段を構成して前記オムツの製造ラインに導入し、前記第２粘着面を前記胴回り側部の前記内面シートに重ね合わせた状態で、前記締結手段を前記締結テープの前記外面側からプレス面が平滑であるプレス手段でプレスすることによって前記胴回り側部の前記内面シートに接合することを特徴とする前記取り付け方法にある。
【０００７】
好ましい実施例では、前記締結テープは、その粘着面と前記離型テープの離型面との接合強度を１５０ｇ以下になしてある。
【０００８】
【作用】
前記締結テープの非粘着摘持部が前記離型テープの先端から突出することになるから、換言すると、該先端が該非粘着摘持部の下面に接触することになるから、これら締結テープ及び離型テープをその締結テープの外面側からプレスしてオムツの所定部位に接合して取り付けるとき、該先端も該離型テープの他の部位と少なくとも同様に固定される。
【０００９】
前記非粘着摘持部を指先で摘持して、前記締結テープの第１粘着面を、これが仮着する前記離型テープの離型面から剥離するとき、その剥離速度をいかに高めても、即ち、瞬間的に剥離しても、前記離型テープは、先端はもちろんその他の部位でも、その固定面であるオムツの内面から剥離することがない。これは、前記離型テープの先端には前記締結テープの第１粘着面が接合していないばかりでなく、該第１粘着面と前記離型テープの離型面との接合（仮着）強度を所定値以下になしてあるからである。
【００１０】
【実施例】
図面を参照して、この発明に係る使い捨てオムツ、特に、その締結手段の実施例を説明すると、以下のとおりである。
【００１１】
図１には、締結手段１０を後身頃の胴回り対向側部１１に設けた公知の使い捨てオムツ１２を示してある。オムツ１２は、透液性内面シート１３と不透性外面シート１４と、それらの間に介在させた吸液性パネル１５とを有し、その脚回り及び胴回りに、弾性部材１６ａ，１６ｂを取り付けてある。締結手段１０は、周知のように、該手段を設けた後身頃の対向側部１１と前身頃の対向側部１７とを接合するために設けてある。
【００１２】
図２に示すように、締結手段１０は、締結テープ２０と、離型テープ２１とから構成してある。締結テープ２０の内面には公知の感圧性粘着剤を塗布して第１粘着面２２を形成してあるとともに、締結テープ２０の先端を折り返して非粘着摘持部２３を形成してあり、その反対側端は、基端部２４となっている。離型テープ２１の内面には前記粘着剤と同効のものを塗布して第２粘着面２５を形成してある。離型テープ２１は、胴回り側部１１の内面シート１３の内面に第２粘着面２５で接合固定してある。締結テープ２０は基端部２４を胴回り側部１１の外面シート１４の下面（外面）に接合固定するとともに、非粘着摘持部２３を含む主体部２６を離型テープ２１の側へ折り返し、第１粘着面２２を離型テープ２１の外面である離型面に重ね合せて仮着してある。このように重ね合せた状態で、非粘着摘持部２３の一部が離型テープ２１の先端２７から突出するように、換言すると、先端２７が非粘着摘持部２３の先端２８と基端２９との中間に位置するように、主体部２６の長さを設定してある。
【００１３】
非粘着摘持部２３の先端２８と離型テープ２１の先端２７とが一致するときは、非粘着摘持部２３を摘持し難く、離型テープ２１の先端２７が非粘着摘持部２３の基端２９及びこれより外側（図上、右側）に位置すると、同様に摘持し難いうえ、第１粘着面２２が先端２７にも接触することになるから、締結テープ２０を離型テープ２１から剥離し難く、しかも、第１粘着面２２と離型テープ２１の離型面との接合強度（剥離強度）によっては、締結テープ２０を剥離するとき、先端２７が剥離、めくれ、浮き上がったりする虞れがある。
【００１４】
前記接合強度は１５０ｇ以下が好ましい。この強度の測定方法は、非粘着摘持部２３を試験器のチャックで摘持し締結テープ２０の主体部２６の第１粘着面２２をその剥離方向（図２上、時計方向）へ引っ張ったときの値（ｇ）による。この値１５０ｇ以下であれば、締結テープ２０をいかに速く、即ち、瞬間的に、剥離しても、離型テープ２１はその先端２７はもちろんその他の部位も、胴回り側部１１の上面から剥離、めくれ、浮き上がることがない。
【００１５】
既に述べたように、締結手段を構成する締結テープ２０及び離型テープ２１は、図２に示すように重ね合せた状態で、オムツの製造ラインに導入し、胴回り側部の内面シート１３に重ね合せた状態で、締結手段を締結テープ２０の外面側からプレス面が平滑であるプレス手段でプレスして接合することにより取り付ける。このときのプレスにより、離型テープ２１の先端２７は、これに位置する部位の両テープ２０，２１の合計厚みが、該両テープの他部位の合計厚みよりも大きいことから理解されるように、最も強くプレスされることになる。従って、先端２７は胴回り側部１１の上面に位置する内面シート１３に強固に接合することになる。
【００１６】
締結テープ２０、離型テープ２１及び第１、第２粘着面２２，２５の粘着剤としては、この種の公知のもの、例えば、締結テープ２０には上質紙又は不織布とプラスチックフィルムとのラミネートシート、離型テープ２１には上質紙の上面（離型面）にシリコン樹脂を塗布したもの、第１、第２粘着面２２，２５の粘着剤にはいわゆるホットメルトタイプのものをそれぞれ使用することができる。又、内面シート１３、外面シート１４及びパネル１５も、この種の公知のもの、例えば、内面シート１３には不織布又は多孔性プラスチックフィルム、外面シート１４にはプラスチックフィルム又はこれと不織布とのラミネートシート、パネル１５には綿状又は粉砕パルプに超吸収性ポリマー粒子を配合したものをそれぞれ使用することができる。
【００１７】
【発明の効果】
この発明に係るオムツの胴回り側部における締結手段の取り付け方法によれば、離型テープの先端が剥離、めくれ、浮き上がることに起因する問題、即ち、着用者の肌のかぶれ、傷つきなどを未然に防止することができるように締結手段を取り付けることができる。従って、新生児用として供しても極めて安全である。
【００１８】
更に、締結テープの非粘着摘持部が離型テープの先端から突出し、その突出部分とオムツの内面との間に空隙が生ずるから、該摘持部を極めて容易に摘持することもできる。
【図面の簡単な説明】
【図１】一部を破断したオムツの展開内側平面図。
【図２】図１のＸ−Ｘに沿う拡大断面図。
【図３】従来の締結手段の断面図。
【符号の説明】
１０  締結手段
１１  胴回り側部
１２  使い捨てオムツ
１３  透液性内面シート
１４  不透液性外面シート
１５  吸液性パネル
２０  締結テープ
２１  離型テープ
２２  第１粘着面
２３  非粘着摘持部
２５  第２粘着面
２７  離型テープの先端
２８  締結テープの先端
【図１】
0003754636.tif 000002
【図２】
0003754636.tif 000003
【図３】
0003754636.tif 000004